(57)【特許請求の範囲】
【請求項１】
試料内の複数の測定点から発せられる光を検出する光検出手段と、
前記光検出手段により検出された前記複数の測定点からの光の揺らぎにそれぞれ対応する複数の揺らぎ信号を利用して前記複数の測定点の二つの間における分子相互作用を解析する解析手段とを具備し、
前記解析手段は、データの和、データ間の積の和、及び各点に対する積和計算の回数を計算し、更に、各測定点についての計算結果に基づいて、自己相関及び測定点間の相互相関演算を行い、二つの測定点を繰り返し測定して得られた時系列の測定データを、測定点ごとにデータテーブルと重み係数テーブルとに分割し、少なくとも二点間相互相関を推定してこの二点間における分子の移動を観察することを特徴とする光信号解析装置。
【請求項２】
前記光検出手段により検出される光は、蛍光・燐光・反射光・散乱光・化学発光・生物発光のいずれかであることを特徴とする請求項１に記載の光信号解析装置。
【請求項３】
励起光を前記複数の測定点に照射する励起光照射手段をさらに有することを特徴とする請求項１に記載の光信号解析装置。
【請求項４】
前記励起光照射手段は、単一の光照射部で構成されることを特徴とする請求項３に記載の光信号解析装置。
【請求項５】
前記光照射部は、前記複数の測定点に励起光を時分割に照射することを特徴とする請求項４に記載の光信号解析装置。
【請求項６】
前記光検出手段は、単一の光検出部で構成されることを特徴とする請求項１〜請求項３のいずれかひとつに記載の光信号解析装置。
【請求項７】
前記光検出部は、前記複数の測定点からの光を時分割に検出することを特徴とする請求項６に記載の光信号解析装置。
【請求項８】
前記解析手段は、前記光検出手段により検出された前記揺らぎ信号に基づいて、前記複数の測定点からの光にそれぞれ対応する複数の擬似信号または擬似データを生成することを特徴とする請求項４に記載の光信号解析装置。
【請求項９】
前記解析手段は、前記時分割の検出によって信号またはデータが欠落する期間、前記擬似信号または擬似データを、所定値の信号またはデータによって補間することを特徴とする請求項８に記載の光信号解析装置。
【請求項１０】
前記解析手段は、前記複数の擬似信号または擬似データの二つの間の相互相関関数を推定することを特徴とする請求項８に記載の光信号解析装置。
【請求項１１】
前記解析手段は、前記相互相関関数を推定するにあたり、前記時分割の検出によって信号またはデータが欠落する期間の解析結果に対する影響を防止する影響防止手段をさらに有することを特徴とする請求項１０に記載の光信号解析装置。
【請求項１２】
前記影響防止手段は、前記時分割の検出によって信号またはデータが欠落する期間と、それ以外の期間との間で異なる重み付けを行うことを特徴とする請求項１１に記載の光信号解析装置。
【請求項１３】
試料内の複数の測定点から発せられる光を検出する光検出工程と、
前記複数の測定点からの光の揺らぎにそれぞれ対応する複数の揺らぎ信号を利用して前記複数の測定点の二つの間における分子相互作用を解析する解析工程とを有し、
前記解析工程は、データの和、データ間の積の和、及び各点に対する積和計算の回数計算を含み、更に、各測定点についての計算結果に基づく自己相関及び測定点間の相互相関演算を含み、二つの測定点を繰り返し測定して得られた時系列の測定データを、測定点ごとにデータテーブルと重み係数テーブルとに分割し、少なくとも二点間相互相関を推定してこの二点間における分子の移動を観察することを特徴とする光信号解析方法。
【請求項１４】
前記光検出工程において検出される光は、蛍光・燐光・反射光・散乱光・化学発光・生物発光のいずれかであることを特徴とする請求項１３に記載の光信号解析方法。
【請求項１５】
前記複数の測定点に励起光を照射する励起光照射工程をさらに有することを特徴とする請求項１３に記載の光信号解析方法。
【請求項１６】
前記励起光照射工程において、前記複数の測定点に励起光を時分割に照射することを特徴とする請求項１５に記載の光信号解析方法。
【請求項１７】
前記光検出工程において、前記複数の測定点からの光を時分割に検出することを特徴とする請求項１５に記載の光信号解析方法。
【請求項１８】
前記解析工程において、前記複数の揺らぎ信号に基づいて、前記複数の測定点からの光にそれぞれ対応する複数の擬似信号または擬似データを生成することを特徴とする請求項１６または請求項１７に記載の光信号解析方法。
【請求項１９】
前記解析工程において、前記時分割の検出によって信号またはデータが欠落する期間、前記擬似信号または擬似データを、所定値の信号またはデータによって補間することを特徴とする請求項１８に記載の光信号解析方法。
【請求項２０】
前記解析工程において、前記複数の擬似信号または擬似データの二つの間の相互相関関数を推定することを特徴とする請求項１８に記載の光信号解析方法。
【請求項２１】
前記解析工程は、前記相互相関関数を推定するにあたり、前記時分割検出によって信号またはデータが欠落する期間の解析結果に対する影響を防止する影響防止工程をさらに有することを特徴とする請求項２０に記載の光信号解析方法。
【請求項２２】
影響防止工程は、前記時分割の検出によって信号またはデータが欠落する期間と、それ以外の期間との間で異なる重み付けを行うことを特徴とする請求項２１に記載の光信号解析方法。
【発明の詳細な説明】
【技術分野】
【０００１】
本発明は、光信号解析装置および光信号解析方法に関する。
【背景技術】
【０００２】
例えば、"New Concept in Correlator Design", Klaus Sch-tzel, Inst. Phys. Conf. Ser. No. 77, P175, 1985と"Noise on Multiple-Tau Photon Correlation Data", Klaus Sch-tzel, SPIE Vol. 1430, P109, Photon Correlation Spectroscopy: Multicomponent Systems, 1991と"Photon Correlation Measurements at Large Lag Times", Klaus Sch-tzel et al., Journal of Modern Optics, Vol. 35, No.4, P711, 1988は、光信号解析方法を開示している。これらの光信号解析方法において、自己相関関数や相互相関関数などを推定する場合には、一回の測定で一個所だけの測定点から得た蛍光の強度の連続測定データ（連続測定信号）を用いるか、複数の測定点を時間で繰り返し切り替えながら測定した複数点時系列混合データ（複数点時系列混合信号）を用いる。解析アルゴリズムとしては、マルチプルτ方式の計算手法またはテーブル検索方式がある。測定点が一個所だけの場合、一般方式または単一測定点マルチプルτ方式というアルゴリズムを解析に用いる。つまり、単一測定点マルチプルτ方式の計算手法は、チャンネル計算やデータ再構成などのデータ処理過程を経て測定点における自己相関関数または相互相関関数を推定する。また、一回に複数の測定点を測定する場合、一般方式またはテーブル検索方式というアルゴリズムを解析に用いる。つまり、テーブル検索方式は、測定点ごとのデータの時分割、測定点の位置情報をテーブル化した位置情報によるデータ高速処理を経て同時に複数測定点におけるそれぞれの自己相関関数または相互相関関数を推定する。【０００３】
堀川嘉明、「統計解析を用いた−分子蛍光分析−生体分子間相互作用の解析に向けて」、分光研究、第５３巻第３号、１５８−１６４、２００４年は、フォトカウンティングヒストグラム法を開示している。【０００４】
間瀬一彦、永園充、田中慎一郎、長岡伸一、「電子−イオン・コインシデンス分光法を用いた表面分子の内殻電子励起に由来するイオン脱離の研究」、放射光、１０、３７５−３９１、１９９７年は、コインシデンス解析法を開示している。
【発明の開示】
【０００５】
しかし、一点の測定点における自己相関関数と相互相関関数の推定は、分子のミクロ領域による比較的小さい拡散速度を有する分子拡散を観察するものである。実際の応用において、例えば分子が細胞の核膜を通過する場合、分子拡散速度は遅く、拡散時間は長い。また、シグナルの伝達、ある方向への分子移動の影響などは、一点のみの観察による自己相関相互相関では観察不可能である。
【０００６】
つまり、従来技術では、観察領域は一点の測定点（コンフォカボリューム）に限定されている。また、二点またはそれ以上の複数点間における分子の移動は観察できない。さらに、遅い分子拡散は観察不可能である。
【０００７】
本発明は、このような実状を考慮して提案したものであり、その目的は、二点間における分子の移動を観察し得る光信号解析装置および光信号解析方法を提供することである。
【０００８】
本発明による光信号解析装置は、試料内の複数の測定点から発せられる光を検出する光検出手段と、前記光検出手段により検出された前記複数の測定点からの光の揺らぎにそれぞれ対応する複数の揺らぎ信号を利用して前記複数の測定点の二つの間における分子相互作用を解析する解析手段とを備えている。前記解析手段は、データの和、データ間の積の和、及び各点に対する積和計算の回数を計算し、更に、各測定点についての計算結果に基づいて、自己相関及び測定点間の相互相関演算を行い、二つの測定点を繰り返し測定して得られた時系列の測定データを、測定点ごとにデータテーブルと重み係数テーブルとに分割し、少なくとも二点間相互相関を推定してこの二点間における分子の移動を観察する。
【０００９】
本発明による光信号解析方法は、試料内の複数の測定点から発せられる光を検出する光検出工程と、前記複数の測定点からの光の揺らぎにそれぞれ対応する複数の揺らぎ信号を利用して前記複数の測定点の二つの間における分子相互作用を解析する解析工程とを有している。前記解析工程は、データの和、データ間の積の和、及び各点に対する積和計算の回数計算を含み、更に、各測定点についての計算結果に基づく自己相関及び測定点間の相互相関演算を含み、二つの測定点を繰り返し測定して得られた時系列の測定データを、測定点ごとにデータテーブルと重み係数テーブルとに分割し、少なくとも二点間相互相関を推定してこの二点間における分子の移動を観察する。
【図面の簡単な説明】
【００１０】
【図１】図１は、本発明の第一実施形態による光信号解析装置を概略的に示している。
【図２】図２は、図１の装置において得られる測定点Ｐ１からの光の揺らぎに対応する揺らぎ信号を示している。
【図３】図３は、図１の装置において得られる測定点Ｐ２からの光の揺らぎに対応する揺らぎ信号を示している。
【図４】図４は、図１のデータ解析部による解析処理のフローチャートを示している。
【図５】図５は、チャンネルの構造と値を示している。
【図６】図６は、ビンタイムが２μ秒のときのチャンネルの構造と値を示している。
【図７】図７は、図２と図３の連続信号における測定点Ｐ１と測定点Ｐ２のデータ再構成を示している。
【図８】図８は、図２と図３の連続信号における測定点Ｐ１のデータ間の積和計算を示している。
【図９】図９は、図２と図３の連続信号における測定点Ｐ１と測定点Ｐ２のデータ間の積和計算を示している。
【図１０】図１０は、本発明の第二実施形態による光信号解析装置を概略的に示している。
【図１１】図１１は、図１０の装置において得られる測定点Ｐ１と測定点Ｐ２からの光の揺らぎに対応する揺らぎ信号を含む時系列混在信号を示している。
【図１２】図１２は、図１１の時系列混在信号から抽出した測定点Ｐ１の時分割信号を示している。
【図１３】図１３は、図１１の時系列混在信号から抽出した測定点Ｐ２の時分割信号を示している。
【図１４Ａ】図１４Ａは、図１０のデータ解析部による解析処理のフローチャートの一部を示している。
【図１４Ｂ】図１４Ｂは、図１０のデータ解析部による解析処理のフローチャートの一部を示している。
【図１５】図１５は、図１１の時系列混在信号に対応する測定点Ｐ１と測定点Ｐ２の混合データを示している。
【図１６】図１６は、図１２の時分割信号に対応する測定点Ｐ１の分割データを示している。
【図１７】図１７は、図１６の分割データに対応する測定点Ｐ１の分割重み係数を示している。
【図１８】図１８は、測定点Ｐ１と測定点Ｐ２の分割データを再構成して得たデータテーブルを示している。
【図１９】図１９は、測定点Ｐ１と測定点Ｐ２の分割重み係数を再構成して得た重み係数テーブルを示している。
【図２０】図２０は、測定点Ｐ１のデータ間の積和計算を示している。
【図２１】図２１は、測定点Ｐ１と測定点Ｐ２のデータ間の積和計算を示している。
【発明を実施するための最良の形態】
【００１１】
以下、図面を参照しながら本発明の実施形態について説明する。【００１２】
＜第一実施形態＞
図１は、本発明の第一実施形態による光信号解析装置を概略的に示している。光信号解析装置１００は、複数の光照射部Ｌ１，Ｌ２，・・・，Ｌｎと、複数の光検出部Ｄ１，Ｄ２，・・・，Ｄｎと、データ解析部３２とを備えている。【００１３】
光照射部Ｌ１，Ｌ２，・・・，Ｌｎのおのおのは光源１２とコリメートレンズ１４と集光レンズ１６などを有している。光照射部Ｌ１，Ｌ２，・・・，Ｌｎは、それぞれ、試料Ｓ内の異なる測定点Ｐ１，Ｐ２，・・・，Ｐｎに励起光を連続的に照射する。【００１４】
光検出部Ｄ１，Ｄ２，・・・，Ｄｎのおのおのは集光レンズ２２とピンホール２４と結像レンズ２６と光検出器２８などを有している。光検出部Ｄ１，Ｄ２，・・・，Ｄｎは、それぞれ、測定点Ｐ１，Ｐ２，・・・，Ｐｎから発せられた光を受光する。より詳しくは、ピンホール２４は、それぞれ、測定点Ｐ１，Ｐ２，・・・，Ｐｎと共役な位置に配置されており、結像レンズ２６は、それぞれ、ピンホール２４の像を光検出器２８に投影する。従って光検出器２８には、それぞれ、測定点Ｐ１，Ｐ２，・・・，Ｐｎから発せられた光だけが選択的に入射する。光検出器２８は、それぞれ、入射した光の強度を反映した連続測定データすなわち測定点Ｐ１，Ｐ２，・・・，Ｐｎからの光の揺らぎに対応する揺らぎ信号を出力する。【００１５】
これまでの説明から分かるように、光検出部Ｄ１，Ｄ２，・・・，Ｄｎは、試料内の測定点Ｐ１，Ｐ２，・・・，Ｐｎから発せられる光を検出する光検出手段を構成している。また光照射部Ｌ１，Ｌ２，・・・，Ｌｎは、測定点Ｐ１，Ｐ２，・・・，Ｐｎにそれぞれ励起光を連続的に照射する励起光照射手段を構成している。【００１６】
データ解析部３２は例えばパーソナルコンピューターで構成され、複数の光検出器２８からそれぞれ出力される複数の揺らぎ信号に対して自己相関関数と相互相関関数を推定する。すなわちデータ解析部３２は、測定点Ｐ１，Ｐ２，・・・，Ｐｎのそれぞれにおける自己相関関数の推定を行なうとともに、測定点Ｐ１，Ｐ２，・・・，Ｐｎの二つの間の相互相関関数の推定を行なう。つまり、データ解析部３２は光検出部Ｄ１，Ｄ２，・・・，Ｄｎによりそれぞれ検出された測定点Ｐ１，Ｐ２，・・・，Ｐｎからの光の揺らぎに対応する揺らぎ信号を利用して測定点Ｐ１，Ｐ２，・・・，Ｐｎの二つの間における分子の移動ベクトルなどの分子相互作用を解析する解析手段を構成している。またデータ解析部３２は解析結果を表示したり記憶したりする。点間相関演算に使われるのは、複数の測定点Ｐ１，Ｐ２，・・・，Ｐｎの連続データ（連続信号）中、独立した二つの測定点の連続データ（連続信号）である。異なる測定点において、それぞれ連続したデータ（信号）を測定し、二点間ベクトル方向の相関関係を直接分子移動の変化から観察する。【００１７】
以下では、その一例として、測定点Ｐ１と測定点Ｐ２の二つの測定点についての解析について述べる。図２は測定点からの光の揺らぎに対応する揺らぎ信号を示し、図３は測定点からの光の揺らぎに対応する揺らぎ信号を示している。【００１８】
以下、データ解析部３２による解析処理について図４のフローチャートに沿って説明する。【００１９】
［ステップＳ０］
試料についての測定データとして、二つの測定点Ｐ１とＰ２におけるデジタルデータすなわち二つの測定点Ｐ１とＰ２の光の揺らぎ信号を取得する。取得した二つの測定点Ｐ１とＰ２のデジタルデータは直接計算に用いられるが、補間方法により図２と図３に示した通りの連続信号で表示することができる。【００２０】
［ステップＳ１］
取得データが存在するか否かを判断し、Ｙｅｓの場合はステップＳ２に進み、Ｎｏの場合はイメージング判断ステップＳ１４に入る。【００２１】
［ステップＳ２］
読み込みデータ数をカウントする。このデータ総数は、チャンネル計算、総合計算などに用いる。【００２２】
［ステップＳ３］
マルチプルτ方式のプロットτ値（チャンネル値）とチャンネル数などを計算する。マルチプルτ方式は読み込んだデータの総数によりチャンネル数を決める。具体的な計算方法は図５に示す通りである。つまり、ビンタイムτ０を基準値として最初の１６個のチャンネル値とし、以降の８個ごとのチャンネル値はビンタイムτ０が２倍に増える値を基準値とする。図５は、ビンタイムτ０を基準値とする一般的なチャンネル値を示し、図６は、ビンタイムτ０が２μ秒の場合のチャンネル値を示している。【００２３】
別の言い方をすれば、最初の１６個のチャンネルを０段とし、それ以降、８個のチャンネルごとに１段、２段、・・・と分ける。各段のチャンネル値の増分（基準値）は、段の数をｎとして、２ｎτ０とする。例えば、０段のチャンネル値の増分はτ０であり、２段のチャンネル値の増分は４τ０である。【００２４】
ここでわかるように、相関値計算用のチャンネル数は、ビンタイムと読み込んだデータの総数に基づいて算出される。例えば、ビンタイム２μ秒で３２秒間データを測定した場合、計算用の総チャンネル数は約１７６である。【００２５】
［ステップＳ４とＳ５］
ステップＳ４では測定点Ｐ１のデータ再構成を行ない、ステップＳ５では測定点Ｐ２のデータ再構成を行なう。つまり、基準値（増分）が異なる各チャンネルの最初チャンネルのデータを計算する。測定点Ｐ１と測定点Ｐ２の測定データＩＰ１とＩＰ２に対して、和計算処理を行なう。チャンネル１６以降の遅延時間τは、８チャンネルごとに基準値（増分）を２倍に増しているため（ステップＳ３を参照）、各チャンネルのデータは基準値（増分）が２倍に増える前の二つのデータ和からなる。具体的なデータの変化は図７の通りである。二つの測定点Ｐ１とＰ２において、それぞれの和計算の処理を行なうことにより、取得データから次々と新しい基準値（増分）を有するチャンネルのデータが形成され、新しいデータ形態が構成される。しかし、実際のデータ再構成処理では、最初チャンネル以外のチャンネルのデータは、最初チャンネルのデータを移動させることで構成される。【００２６】
別の言い方をすれば、読み込んだすべてのデータの並びを０行目のデータ列とし、そのうちの隣接する二つずつを足し算して、その並びを１行目のデータ列とする。それ以降、同様の操作に繰り返して、２行目のデータ列、３行目のデータ列、・・・を作る。この操作は、チャンネルの段数と同じ行数のデータ列を得るまで続ける。このようにして得られたデータテーブルにおいて、各行のデータは、それぞれ、各段のチャンネルに対応している。例えば、２行０列目のデータは、２段０列目のチャンネルに対応している。【００２７】
［ステップＳ６とＳ７］
データの総和を計算する。つまり、測定点Ｐ１と測定点Ｐ２の測定データＩＰ１とＩＰ２に対して、マルチプルτ方式の各チャンネル値位置におけるそれぞれ変数のデータ総和を計算する。【００２８】
［ステップＳ８とＳ９］
同じ測定点におけるデータ間の積和計算を行なう。つまり、測定点Ｐ１と測定点Ｐ２の測定データＩＰ１とＩＰ２に対して、測定点Ｐ１の場合、図８に示されるように、同じ基準値（増分）を有するチャンネル位置のデータと０列目データとの掛け算をし、その和を算出する。言い換えれば、図５に示される各段のチャンネルに対応する測定点Ｐ１のデータ列において、最初のデータとほかの各データとの積の和を求める。また、測定点Ｐ２に対しても同様な計算処理を行なう。【００２９】
［ステップＳ１０とＳ１１］
同じ測定点におけるデータ積和計算の回数をカウントする。つまり、データ積和計算の回数のカウントは、ステップＳ８とＳ９の計算と同時に行なう。【００３０】
［ステップＳ１２］
異なる測定点間のデータの積和計算を行なう。つまり、測定点Ｐ１の０列目データと測定点Ｐ２のデータとの積和計算を行なう。図９に示されるように、測定点Ｐ２の同じ基準値（増分）を有するチャンネル位置のデータと測定点Ｐ１の０列目のデータとの掛け算をし、その和を算出する。言い換えれば、各段のチャンネルに対応する測定点Ｐ１のデータ列と測定点Ｐ２のデータ列において、測定点Ｐ１のデータ列の最初のデータと測定点Ｐ２のデータ列の各データとの積の和を求める。【００３１】
［ステップＳ１３］
異なる測定点間のデータ積和計算の回数をカウントする。つまり、データ積和計算の回数のカウントは、ステップＳ１２の計算と同時に行なう。【００３２】
［ステップＳ１４］
演算終了およびイメージング判断を行なう。Ｙｅｓの場合には総合相関計算のステップＳ１５に入り、Ｎｏの場合にはデータ取得判断のステップＳ１に戻る。【００３３】
［ステップＳ１５］
データの読み込みが終了した場合（またはステップＳ１４がＹｅｓの場合）、上述した諸計算結果に基づいて、二つの測定点Ｐ１とＰ２のそれぞれの自己相関関数の推定と二つの測定点Ｐ１とＰ２の間の点間相互相関関数の推定とを行なう。つまり、Ｐ１→Ｐ２とＰ１→Ｐ１とＰ２→Ｐ２の各相関方向に対してそれぞれ異なる解析式を用いて相関関数を推定する。【００３４】
例えば、Ｐ１→Ｐ１に対しては（Ｓ８＊Ｓ１０）／（Ｓ６０＊Ｓ６）の計算式を用い、Ｐ２→Ｐ２に対しては（Ｓ９＊Ｓ１１）／（Ｓ７０＊Ｓ７）の計算式を用い、Ｐ１→Ｐ２に対しては（Ｓ１２＊Ｓ１３）／（Ｓ６０＊Ｓ６）の計算式を用いる。ここで、Ｓ６０とＳ７０はそれぞれ各基準値（増分）チャンネル位置のデータ総和を示す。【００３５】
これらの解析式はそれぞれ下記の（１）式〜（３）式のように表現できる。
【数１】
0004740952.tif 000002
【数２】
0004740952.tif 000003
【数３】
0004740952.tif 000004
【００３６】
（１）式〜（３）式中、ｍｌＦＰ０Ｓｕｍ（τν）は各段０列目データの総和を示し、ｍｌＦＰＳｕｍ（τν）は各マルチプルτ方式のチャンネルデータの総和を示す。また、ｍｌＦＰＲＰＳｕｍ（τν）は０列目データと各チャンネルデータとの積和計算を示し、ｍｌＮＰＰＳｕｍ（τν）は積和計算の総回数を示す。ここで、添字のＰはＰ１またはＰ２であり、計算対象のデータすなわち測定点Ｐ１のデータまたは測定点Ｐ２のデータに対応している。【００３７】
［ステップＳ１６］
各最終計算結果に基づいて、点間相互相関関数のカーブ表示などの処理を行なう。【００３８】
これまでの説明からわかるように、本実施形態の光分析装置では、異なる二つの測定点Ｐ１とＰ２に対して相互相関関数の推定を行なっている。Ｐ１→Ｐ２への解析結果において、相関が高ければ、同一分子が測定点Ｐ１から測定点Ｐ２へ移動する確率が高いと推定でき、逆に相関が低ければ測定点Ｐ１を通った分子が測定点Ｐ２を通る確率が低く、その他方向への分子移動が多いと推定できる。つまり、本実施形態の光分析装置によれば、二つの測定点Ｐ１とＰ２の間における分子の移動を観察できる。また、複数セットの二つの測定点間の相関性を検討することで、分子移動のベクトルを推定することが可能である。【００３９】
＜第二実施形態＞
図１０は、本発明の第二実施形態による光信号解析装置を概略的に示している。光信号解析装置２００は、単一の光照射部Ｌと、単一の光検出部Ｄと、データ解析部３２とを備えている。【００４０】
光照射部Ｌは光源１２とコリメートレンズ１４と集光レンズ１６とスキャナー１８などを有している。光照射部Ｌは、測定点Ｐ１，Ｐ２，・・・，Ｐｎに励起光を時分割に照射する励起光照射手段であり、スキャナー１８により光ビームを間欠的に走査し、試料Ｓ内の異なる測定点Ｐ１，Ｐ２，・・・，Ｐｎに励起光を照射する。【００４１】
光検出部Ｄは集光レンズ２２とピンホール２４と結像レンズ２６と光検出器２８などを有している。光検出部Ｄは、試料内の測定点Ｐ１，Ｐ２，・・・，Ｐｎから発せられる光を時分割に検出する光検出手段であり、測定点Ｐ１，Ｐ２，・・・，Ｐｎから発せられた光を時系列的に受光する。光検出部Ｄの構成は、第一実施形態における光検出部Ｄ１，Ｄ２，・・・，Ｄｎのいずれかと同じである。【００４２】
データ解析部３２は例えばパーソナルコンピューターで構成され、光検出器２８から出力される揺らぎ信号に基づいて、測定点Ｐ１，Ｐ２，・・・，Ｐｎのそれぞれにおける自己相関関数の推定を行なうとともに、測定点Ｐ１，Ｐ２，・・・，Ｐｎの二つの間の相互相関関数の推定を行なう。つまり、データ解析部３２は光検出部Ｄにより時分割に検出された測定点Ｐ１，Ｐ２，・・・，Ｐｎからの光の揺らぎに対応する揺らぎ信号を利用して測定点Ｐ１，Ｐ２，・・・，Ｐｎの二つの間における分子の移動ベクトルなどの分子相互作用を解析する解析手段を構成している。【００４３】
以下では、その一例として、測定点Ｐ１と測定点Ｐ２の二つの測定点についての解析について述べる。光照射部Ｌは、二つの測定点Ｐ１とＰ２に対して、短時間で切り替えながら励起光を照射する。従って、光検出部Ｄからのデータは、図１１に示されるように、二つの測定点Ｐ１とＰ２におけるデータが交互に混在している時系列混在データとなる。図１１中のＰ１とＰ２はそれぞれ測定点Ｐ１と測定点Ｐ２のデータ測定範囲を示している。つまり、このデータには、測定点Ｐ１と測定点Ｐ２のデータが交互に含まれていて、時間で分割することができる。時系列混在データには、実際には、測定点Ｐ１と測定点Ｐ２のデータ測定範囲のほかに、測定点Ｐ１とＰ２を切り替える間の測定範囲も存在するが、図１１では省略している。【００４４】
この時系列混在データはデータ解析部３２に送られ、測定点ごとのデータに分割され処理される。つまり、データ解析部３２は、図１１の時系列混在データから、図１２に示される測定点Ｐ１の時分割データと、図１３に示される測定点Ｐ２の時分割データとを抽出する。測定点Ｐ１の時分割データについては、スキャナー１８が励起光ビームを測定点Ｐ１に静止させている期間の蛍光強度だけを抽出して測定点Ｐ１のデータとし、その以外の期間のデータはゼロとする。同様に、測定点Ｐ２の信号については、スキャナー１８が励起光ビームを測定点Ｐ２に静止させている期間の蛍光強度だけを抽出して測定点Ｐ２のデータとし、その以外の期間のデータはゼロとする。このようにしてデータ解析部３２は、光検出器２８から出力される揺らぎ信号に基づいて、測定点Ｐ１と測定点Ｐ２からのそれぞれの光に対応する二つの擬似信号または擬似データを生成する。この擬似信号または擬似データは、時分割の検出によって発生する信号が欠落する期間が所定値の信号によって補間されている。【００４５】
つまり、二つの測定点の時系列混在データから、二つの異なる測定点のデータを抽出する。この二つの異なる測定点の抽出データにおいて、従来通りの汎用方式、情報テーブル方式またはマルチプルτ方式を用いて点間相関演算を行なう。【００４６】
本実施形態では、重み係数を用いたマルチプルτ方式点間相互相関関数のデータ解析において、二つの測定点を繰り返し測定する。測定した測定データを時系列で測定点ごとにデータテーブルと重み係数テーブルに分割することにより、各測定点に相当するデータと重み係数だけを抽出して、自己相関関数の計算を行なう。ここで、抽出した各測定点のデータと重み係数中の二つの測定点のデータと重み係数を用いて自己相関と点間相互相関計算を行ない、計算結果により、同時に二点のそれぞれ細胞反応を観察するだけではなく、細胞の異なる部位（二点）間の相互作用などを観察する。【００４７】
相関関数の演算を行なう際、データと重み係数の計算用チャンネルはオクターブ方式を用い、データと重み係数の計算を数少ない有限個のチャンネルの結果に制限し、同間隔の計算結果のプロットを実現する。さらに、先に異なるτ領域において、異なる遅延時間相当分のデータ平均値と重み係数平均値を計算する。なお、抽出された測定点のデータと重み係数による諸処理は、１つのデータあるいは重み係数を計算最小単位とする。【００４８】
以下、具体例として、マルチプルτ方式について、図１４Ａと図１４Ｂのフローチャートに沿って説明する。【００４９】
［ステップＳ０］
試料についての測定データとして、二つの測定点Ｐ１とＰ２における時系列測定データを取得する。取得した時系列混在データの補間方法による連続信号は図１１に示した通りである。【００５０】
［ステップＳ１］
取得データが存在するか否かを判断し、Ｙｅｓの場合はステップＳ２に進み、Ｎｏの場合はイメージング判断のステップＳ１８に入る。【００５１】
［ステップＳ２］
読み込みデータ数をカウントする。このデータ総数は、チャンネル計算、総合計算などに用いる。【００５２】
［ステップＳ３］
マルチプルτ方式のプロットτ値（チャンネル値）とチャンネル数などを計算する。マルチプルτ方式は読み込んだデータの総数によりチャンネル数を決める。具体的な計算方法は第一実施形態の図５に示した通りである。つまり、ビンタイムτ０を基準値として最初の１６個のチャンネル値とし、以降の８個ごとのチャンネル値はビンタイムτ０が２倍に増える値を基準値とする。【００５３】
別の言い方をすれば、最初の１６個のチャンネルを０段とし、それ以降、８個のチャンネルごとに１段、２段、・・・と分ける。各段のチャンネル値の増分（基準値）は、段の数をｎとして、２ｎτ０とする。例えば、０段のチャンネル値の増分はτ０であり、２段のチャンネル値の増分は４τ０である。【００５４】
ここでわかるように、計算用のチャンネル数は、ビンタイム値と読み込んだデータの総数によって決まる。【００５５】
［ステップＳ４とＳ５］
測定点の識別を行なう。つまり、同時に測定した測定点数と測定点番号を判断する。ステップＳ４で測定点がＰ１の場合には、入力データが測定点Ｐ１の有効なデータとしてステップＳ６以降で処理され、測定点Ｐ２のデータはステップＳ５でゼロとして処理される。また、ステップＳ４で測定点がＰ２の場合には、入力データが測定点Ｐ２の有効なデータとしてステップＳ６以降で処理され、測定点Ｐ１のデータはステップＳ５でゼロとして処理される。また、測定点Ｐ１とＰ２以外の場合には、同様に測定点Ｐ１のデータはステップＳ５でゼロとして補間処理される。【００５６】
［ステップＳ６］
データ抽出を行なう。つまり、測定点ごとにデータを分割する。複数測定点において、測定点を時系列で切り替えながら測定した場合、複数測定点のデータが混在している時系列混在データが得られる。ここで、時系列混在データを測定点ごとのデータに分割する。例えば、測定点Ｐ１とＰ２において、図１１のようなＰ１→Ｐ２→Ｐ１の順にデータ測定が行われた場合、測定したデータにはＰ１、Ｐ２の二つの測定データが時系列で配列される。このデータを図１５のような具体的なデータ表に例え、測定点ごとのデータ分割方法を説明する。測定点Ｐ１において、まず、混在データから測定点Ｐ１のデータだけを抽出する。次に、そのほかの測定点（測定点Ｐ２）に相当する位置にはデータ０を埋め込む。その結果、図１６に示される測定点Ｐ１の分割データテーブルが作成される。同様に、測定点Ｐ２に対して、異なる分割データテーブルを作成する。つまり、光検出器２８から出力される揺らぎ信号に基づいて二つの測定点Ｐ１とＰ２からのそれぞれの光に対応する二つの擬似データが生成される。この擬似データは、時分割の検出によって発生する信号が欠落する期間が所定値のデータによって補間されている。その結果、二つの測定点Ｐ１とＰ２に対して、二枚の分割データテーブルが構成される。【００５７】
［ステップＳ７］
時分割の検出によって発生する信号またはデータが欠落する期間の解析結果に対する影響を防止するため、信号またはデータが欠落する期間と、それ以外の期間との間で異なる重み付けを行なう。このための重み係数テーブルを作成する。つまり、測定点ごとに重み係数の分割を行なう。複数測定点において、測定点を時系列で切り替えながら測定した場合、測定データには、データの大きさを表す部分のほかにデータの測定点位置を表す部分が含まれている。この部分も測定点ごとに分割するが、複数測定点測定のマルチプルτ方式では重み係数として計算に用いる。二つの測定点Ｐ１とＰ２に対してデータ測定が行われた場合、データ数１個（重み係数＝１）で表す。まず、データ信号の分割と同様に、測定点Ｐ１に対する重み係数だけを抽出する。次に、その他の測定点に相当する位置には０という重み係数を埋め込む。その結果、図１７に示される測定点Ｐ１の分割重み係数テーブルが作成される。同様に、測定点Ｐ２に対して、それぞれの異なる分割重み係数テーブルを作成する。つまり、二つの測定点Ｐ１とＰ２に対して、二枚の分割重み係数テーブルが構成される。【００５８】
［ステップＳ８］
データ再構成を行なう。つまり、基準値（増分）が異なる各チャンネルの最初チャンネルのデータを計算する。測定点Ｐ１と測定点Ｐ２の分割データテーブルにより、測定点ごとに和計算処理を行なう。チャンネル１６以降の遅延時間τは、８チャンネルごとに基準値（増分）を２倍に増しているため（第一実施形態のステップＳ４とＳ５を参照）、各チャンネルのデータは基準値（増分）が２倍に増える前の二つのデータ和からなる。具体的なデータの変化は図１８の通りである。二つの測定点Ｐ１とＰ２において、それぞれの和計算の処理を行なうことにより、データ分割テーブルから次々と新しい基準値（増分）を有するチャンネルのデータが形成され、新しいデータ形態が構成される。【００５９】
別の言い方をすれば、読み込んだすべてのデータの並びを０行目のデータ列とし、そのうちの隣接する二つずつを足し算して、その並びを１行目のデータ列とする。それ以降、同様の操作に繰り返して、２行目のデータ列、３行目のデータ列、・・・を作る。この操作は、チャンネルの段数と同じ行数のデータ列を得るまで続ける。このようにして得られたデータテーブルにおいて、各行のデータは、それぞれ、各段のチャンネルに対応している。例えば、２行０列目のデータは、２段０列目のチャンネルに対応している。【００６０】
［ステップＳ９］
重み係数再構成を行なう。つまり、基準値（増分）が異なる各チャンネルの最初チャンネルの重み係数を計算する。測定点Ｐ１と測定点Ｐ２の分割重み係数テーブルにより、測定点ごとに和計算処理を行なう。重み係数テーブルの変化はステップＳ８と同様に、和計算処理の経過とともに、次々と新しい基準値（増分）を有するチャンネルの重み係数が形成され（図１９）、新しい重み係数形態が構成される。【００６１】
別の言い方をすれば、すべての重み係数の並びを０行目の重み係数列とし、そのうちの隣接する二つずつを足し算して、その並びを１行目の重み係数列とする。それ以降、同様の操作に繰り返して、２行目の重み係数列、３行目の重み係数列、・・・を作る。この操作は、チャンネルの段数と同じ行数の重み係数列を得るまで続ける。このようにして得られた重み係数テーブルにおいて、各行の重み係数は、それぞれ、各段のチャンネルに対応している。【００６２】
［ステップＳ１０］
測定点Ｐ１の抽出データＩＰ１に対して、データ間の積和計算を行なう。つまり、図２０に示されるように、測定点Ｐ１の同じ基準値（増分）を有するチャンネル位置のデータと０列目データとの掛け算をし、その和を算出する。言い換えれば、各段のチャンネルに対応する測定点Ｐ１のデータ列において、最初のデータとほかの各データとの積の和を求める。次に、測定点Ｐ２の抽出データＩＰ２に対して、データ間の積和計算を行なう。つまり、同様な処理を測定点Ｐ２において行ない、測定点Ｐ２の同じ基準値（増分）を有するチャンネル位置のデータと０列目データとの掛け算をし、その和を算出する。言い換えれば、各段のチャンネルに対応する測定点Ｐ２のデータ列において、最初のデータとほかの各データとの積の和を求める。【００６３】
［ステップＳ１１］
測定点Ｐ１の抽出重み係数ＷＰ１に対して、重み係数間の積和計算を行なう。つまり、測定点Ｐ１の同じ基準値（増分）を有するチャンネル位置の重み係数と０列目重み係数との掛け算をし、その和を算出する。言い換えれば、各段のチャンネルに対応する測定点Ｐ１の重み係数列において、最初の重み係数とほかの各重み係数との積の和を求める。次に、測定点Ｐ２の抽出重み係数ＷＰ２に対して、重み係数間の積和計算を行なう。つまり、同様な処理を測定点Ｐ２において行ない、測定点Ｐ２の同じ基準値（増分）を有するチャンネル位置の重み係数と０列目重み係数との掛け算をし、その和を算出する。言い換えれば、各段のチャンネルに対応する測定点Ｐ２の重み係数列において、最初の重み係数とほかの各重み係数との積の和を求める。【００６４】
［ステップＳ１２］
測定点Ｐ１の抽出データＩＰ１と重み係数ＷＰ１に対して、０列目データと重み係数との積和計算を行なう。つまり、測定点Ｐ１の同じ基準値（増分）を有するチャンネル位置の重み係数と０列目データとの掛け算をし、その和を算出する。言い換えれば、各段のチャンネルに対応する測定点Ｐ１のデータ列と重み係数列において、データ列の最初のデータと重み係数列の各重み係数との積の和を求める。次に、測定点Ｐ２の抽出データＩＰ２と重み係数ＷＰ２に対して、データと重み係数との積和計算を行なう。つまり、同様な処理を測定点Ｐ２において行ない、測定点Ｐ２の同じ基準値（増分）を有するチャンネル位置の重み係数と０列目データとの掛け算をし、その和を算出する。言い換えれば、各段のチャンネルに対応する測定点Ｐ１のデータ列と重み係数列において、データ列の最初のデータと重み係数列の各重み係数との積の和を求める。【００６５】
［ステップＳ１３］
測定点Ｐ１の抽出重み係数ＷＰ１とデータＩＰ１に対して、０列目重み係数とデータとの積和計算を行なう。つまり、測定点Ｐ１の同じ基準値（増分）を有するチャンネル位置のデータと０列目重み係数との掛け算をし、その和を算出する。言い換えれば、各段のチャンネルに対応する測定点Ｐ１のデータ列と重み係数列において、重み係数列の最初の重み係数とデータ列の各データとの積の和を求める。次に、測定点Ｐ２の抽出重み係数ＷＰ２とデータＩＰ２に対して、重み係数とデータとの積和計算を行なう。つまり、同様な処理を測定点Ｐ２において行ない、測定点Ｐ２の同じ基準値（増分）を有するチャンネル位置のデータと０列目重み係数との掛け算をし、その和を算出する。言い換えれば、各段のチャンネルに対応する測定点Ｐ２のデータ列と重み係数列において、重み係数列の最初の重み係数とデータ列の各データとの積の和を求める。【００６６】
［ステップＳ１４］
測定点Ｐ１と測定点Ｐ２の抽出データＩＰ１とＩＰ２に対して、二つの測定点Ｐ１とＰ２のデータ間の積和計算を行なう。つまり、図２１に示されるように、同じ基準値（増分）を有する測定点Ｐ２のチャンネル位置のデータと測定点Ｐ１の０列目データとの掛け算をし、その和を算出する。言い換えれば、各段のチャンネルに対応する測定点Ｐ１のデータ列と測定点Ｐ２のデータ列において、測定点Ｐ１のデータ列の最初のデータと測定点Ｐ２のデータ列の各データとの積の和を求める。【００６７】
［ステップＳ１５］
測定点Ｐ１と測定点Ｐ２の抽出重み係数ＷＰ１、ＷＰ２に対して、二つの測定点Ｐ１とＰ２の重み係数間の積和計算を行なう。つまり、同じ基準値（増分）を有する測定点Ｐ２のチャンネル位置の重み係数と測定点Ｐ１の０列目の重み係数との掛け算をし、その和を算出する。言い換えれば、各段のチャンネルに対応する測定点Ｐ１の重み係数列と測定点Ｐ２の重み係数列において、測定点Ｐ１の重み係数列の最初の重み係数と測定点Ｐ２の重み係数列の各重み係数との積の和を求める。【００６８】
［ステップＳ１６］
測定点Ｐ１の抽出データＩＰ１と測定点Ｐ２の重み係数ＷＰ２に対して、測定点Ｐ１の０列目データと測定点Ｐ２の重み係数間の積和計算を行なう。つまり、同じ基準値（増分）を有する測定点Ｐ２のチャンネル位置の重み係数と測定点Ｐ１の０列目のデータとの掛け算をし、その和を算出する。言い換えれば、各段のチャンネルに対応する測定点Ｐ１のデータ列と測定点Ｐ２の重み係数列において、測定点Ｐ１のデータ列の最初のデータと測定点Ｐ２の重み係数列の各重み係数との積の和を求める。【００６９】
［ステップＳ１７］
測定点Ｐ１の抽出重み係数ＷＰ１と測定点Ｐ２の抽出データＩＰ２に対して、測定点Ｐ１の０列目重み係数と測定点Ｐ２のデータとの積和計算を行なう。つまり、同じ基準値（増分）を有する測定点Ｐ２のチャンネル位置のデータと測定点Ｐ１の０列目の重み係数との掛け算をし、その和を算出する。言い換えれば、各段のチャンネルに対応する測定点Ｐ２のデータ列と測定点Ｐ１の重み係数列において、測定点Ｐ２のデータ列の最初のデータと測定点Ｐ１の重み係数列の各重み係数との積の和を求める。【００７０】
［ステップＳ１８］
演算終了とイメージングの判断を行なう。Ｙｅｓの場合には総合相関計算に入り、Ｎｏの場合にはデータ取得ステップＳ１に戻る。【００７１】
［ステップＳ１９］
データの読み込みが終了した場合（ステップＳ２１がＹｅｓの場合）、上述した諸計算結果に基づいて、二つの測定点Ｐ１とＰ２のおのおのの自己相関関数の推定と二つの測定点Ｐ１とＰ２の間の点間相互相関関数の推定とを行なう。つまり、Ｐ１→Ｐ２とＰ１→Ｐ１とＰ２→Ｐ２の各相関方向に対してそれぞれ異なる解析式を用いて相関関数を推定する。【００７２】
例えば、Ｐ１→Ｐ１とＰ２→Ｐ２に対しては（Ｓ１０＊Ｓ１１）／（Ｓ１２＊Ｓ１３）の計算式を用い、Ｐ１→Ｐ２に対しては（Ｓ１４＊Ｓ１５）／（Ｓ１６＊Ｓ１７）の計算式を用いる。【００７３】
これらの解析式はそれぞれ下記の（４）式〜（６）式のように表現できる。
【数４】
0004740952.tif 000005
【数５】
0004740952.tif 000006
【数６】
0004740952.tif 000007
【００７４】
（４）式〜（６）式の各式中、ｍｌＦＰＲＰＳｕｍ（τν）はデータ間の積和計算を示し、ｍｌＷＰＶＰＳｕｍ（τν）は重み係数の積和計算を示す。また、ｍｌＦＰＶＰＳｕｍ（τν）は０列目データと重み係数の積和計算を示し、ｍｌＷＰＲＰＳｕｍ（τν）は０列目重み係数とデータの積和計算を示す。ここで、添字のＰはＰ１またはＰ２であり、計算対象のデータすなわち測定点Ｐ１のデータまたは測定点Ｐ２のデータに対応している。また、τν＝τ０＋τで、τ０は点間の距離による遅延時間τ０Ｐと点間の測定開始時間差による遅延時間τ０Ｍからなるもので、τは通常相関演算時の遅延時間である。【００７５】
（６）式は、下記の（７）式の相互相関解析式に基づいている。また（７）式の相互相関解析式は、（８）式の汎用相互相関関数に対して重み付けを適用することにより導出される。（８）式は、Ｎ１＝Ｎ２＝Ｎ１２であれば（９）式と表現できる。
【数７】
0004740952.tif 000008
【数８】
0004740952.tif 000009
【数９】
0004740952.tif 000010
【００７６】
［ステップＳ２０］
各最終計算結果に基づいて、点間相互相関関数のカーブ表示などの処理を行なう。【００７７】
これまでの説明からわかるように、本実施形態の光分析装置では、異なる二つの測定点Ｐ１とＰ２に対して相互相関関数の推定を行なっている。Ｐ１→Ｐ２への解析結果において、相関が高ければ、同一分子が測定点Ｐ１から測定点Ｐ２へ移動する確率が高いと推定でき、逆に相関が低ければ測定点Ｐ１を通った分子が測定点Ｐ２を通る確率が低く、その他方向への分子移動が多いと推定できる。つまり、本実施形態の光分析装置によれば、二つの測定点Ｐ１とＰ２の間における分子の移動を観察できる。また、複数セットの二つの測定点間の相関性を検討することで、分子移動のベクトルを推定することが可能である。【００７８】
また、計算結果のプロットは１個の読み込みデータを単位とするため、今までの汎用方式のような大量データの計算完了を待つ必要がなく、随時データの読み込み、計算を中止させ、リアルタイムに描画することが可能である。また、各計測データを元に計算した結果を理論式にフィッティングすることにより、分子の並進拡散時間、分子数などのパラメータの値を求めることができる。【００７９】
さらに、単一の光照射部により光ビームを間欠的に走査して複数の測定点に励起光を照射し、複数の測定点から発生する蛍光を単一の光検出部Ｄにより検出している。つまり、複数の測定点に対して同一光学系を用いている。このため、測定領域、照射強度、信号伝送システムなどの不一致による誤差がない。また、二つの異なる測定点のデータは同一測定信号から由来するため、測定開始時間誤差がゼロである。さらに、必要なハードウェアが１セットで済むため、高性能で低コストの光信号解析装置が提供される。【００８０】
加えて、相関関数の計算には、平均した数少ないデータと重み係数だけを用いるため、計算に要する時間が短い。【００８１】
これまで、図面を参照しながら本発明の実施形態を述べたが、本発明は、これらの実施形態に限定されるものではなく、その要旨を逸脱しない範囲において様々な変形や変更が施されてもよい。【００８２】
例えば、上述した実施形態による光信号解析装置は蛍光を検出しているが、検出対象光は蛍光に限定されるものではなく、ほかの光、例えば燐光や反射光や散乱光や化学発光や生物発光などであってもよい。【００８３】
また、上述した実施形態では、相関関数解析法を採用しているが、これに代えて、フォトカウンティングヒストグラム法やコインシデンス解析法を適用しもよい。【００８４】
第二実施形態では、光検出部Ｄは単一の光検出器２８によって試料内の測定点Ｐ１，Ｐ２，・・・，Ｐｎから発せられる光を時分割に検出しているが、試料内の測定点Ｐ１，Ｐ２，・・・，Ｐｎから発せられる光をそれぞれ受光する複数の光検出器を有していてもよい。
【産業上の利用可能性】
【００８５】
本発明によれば、二点間における分子の移動を観察し得る光信号解析装置および光信号解析方法が提供される。
【図１】
0004740952.tif 000011
【図２】
0004740952.tif 000012
【図３】
0004740952.tif 000013
【図４】
0004740952.tif 000014
【図５】
0004740952.tif 000015
【図６】
0004740952.tif 000016
【図７】
0004740952.tif 000017
【図８】
0004740952.tif 000018
【図９】
0004740952.tif 000019
【図１０】
0004740952.tif 000020
【図１１】
0004740952.tif 000021
【図１２】
0004740952.tif 000022
【図１３】
0004740952.tif 000023
【図１４Ａ】
0004740952.tif 000024
【図１４Ｂ】
0004740952.tif 000025
【図１５】
0004740952.tif 000026
【図１６】
0004740952.tif 000027
【図１７】
0004740952.tif 000028
【図１８】
0004740952.tif 000029
【図１９】
0004740952.tif 000030
【図２０】
0004740952.tif 000031
【図２１】
0004740952.tif 000032